(57)【要約】【課題】営巣されたくない場所への営巣を回避するとともに、ヒナが巣立った後には容易に巣を除去する。【解決手段】変電所鉄構等用鳥類営巣補助具(10)は、鳥類の営巣を促す営巣箱(12)と、該営巣箱を昇降させる昇降装置(14)とからなり、前記営巣箱は前記昇降装置により変電所の鉄構(16)等の構造物に昇降自在に取り付けられる。ここで前記昇降装置は、営巣箱に接続される紐体(18)と、営巣箱の設置位置の上方に取り付けられて前記紐体をガイドする滑車(22)と、営巣箱を設置位置の鉄構(16)等の構造物に係止するための固定具(24)と、からなり、前記紐体を地上から操作することによって、前記営巣箱を昇降させる。また営巣箱の底面には磁石(26)が取り付けられる。【選択図】  図３
2007104966.tif 000002
【特許請求の範囲】
【請求項１】
鳥類の営巣を促す営巣箱（１２）と、該営巣箱を昇降させる昇降装置（１４）とからなり、
前記営巣箱は前記昇降装置により変電所の鉄構（１６）等の構造物に昇降自在に取り付けられる、ことを特徴とする変電所鉄構等用鳥類営巣補助具。
【請求項２】
前記昇降装置（１４）は、営巣箱（１２）に接続される紐体（１８）と、営巣箱の設置位置の上方に取り付けられて前記紐体をガイドする滑車（２２）と、営巣箱を設置位置の鉄構（１６）等の構造物に係止するための固定具（２４）と、からなり、
前記紐体を地上から操作することによって、前記営巣箱を昇降させる、ことを特徴とする請求項１に記載の変電所鉄構等用鳥類営巣補助具。
【請求項３】
前記営巣箱（１２）の少なくとも底面には磁石（２６）が取り付けられ、または、前記営巣箱の少なくとも底面が磁気を帯びている、ことを特徴とする請求項１又は２に記載の変電所鉄構等用鳥類営巣補助具。
【発明の詳細な説明】
【技術分野】
【０００１】
本発明は変電所や発電所、開閉所の鉄構などの構造物に取り付けることで特定の場所に鳥類の営巣を誘引し、これにより営巣されたくない場所への営巣を回避するとともに、ヒナが巣立った後には容易に鳥の巣を除去することができる変電所鉄構等用鳥類営巣補助具に関する。
【背景技術】
【０００２】
変電所の構内に林立する鉄構は、カラス等の鳥類が飛来し営巣しやすい環境にある。鳥類が鉄構に営巣すると、変電所の設備に様々なトラブルを発生させる原因となる。例えばカラスは、巣材に金属性ハンガーなどの導電材を用いるケースが多く、かかる巣材の変電設備への落下・接触が短絡や地絡事故を発生させる原因となることがある。
【０００３】
そのため従来では図５に示したように、鉄構等の営巣されやすい場所に剣山状の鳥除けを設置し、または水糸などの障害物を張設して、鳥が鉄構等に止まりにくくすることで鳥類の営巣を回避しようとしていた。
【０００４】
しかしながらかかる障害物は鉄構等に固定して取り付けられるため、変電設備の保守・点検作業時に邪魔となることがあった。またかかる障害物を設置したとしても、鳥類の営巣を完全に防ぐことはできなかった。
【０００５】
そこで発想を転換し、巣材が落下したとしても変電設備等に接触しない離れた場所に積極的に営巣させる発明なども種々なされている。例えば、特許文献１に記載の「鳥害防止装置」のように、鳥の巣作りを促す巣囲いの少なくとも底面に、通電することにより熱を発する発熱体を備えたものや、特許文献２に記載の「高圧送電鉄塔における鳥の営巣誘導器具」のように、上面が開口した網状の営巣用カゴを有し、該営巣用カゴの内部底面には、営巣用ベースが設けられた構成よりなるものなどが発案されている。
【特許文献１】特開平８−１５３号公報
【特許文献２】特開平８−１８２４５７号公報
【発明の開示】
【発明が解決しようとする課題】
【０００６】
しかしながら、上記特許文献１および２に記載の発明は、営巣された鳥の巣を取り除く際には、作業員が高所まで上がる必要があるため、除去作業に手間を要するだけでなく、高所作業による危険を伴うといった問題があった。また特許文献１に記載の発明は鳥の卵を熱により腐らせるためのものであり、野鳥保護の観点からは好ましいものではなく、また巣を取り除くための工夫は何らされていなかった。
【０００７】
本発明は上記問題点を解決するためになされたもので、その目的は、特定の場所に鳥類の営巣を誘引することで営巣されたくない場所への営巣を回避するとともに、ヒナが巣立った後には容易に巣を除去することができる変電所鉄構等用鳥類営巣補助具を提供することにある。
【課題を解決するための手段】
【０００８】
上記問題を解決するために本発明の変電所鉄構等用鳥類営巣補助具は、鳥類の営巣を促す営巣箱（１２）と、該営巣箱を昇降させる昇降装置（１４）とからなり、前記営巣箱は前記昇降装置により変電所の鉄構（１６）等の構造物に昇降自在に取り付けられる、ことを特徴とする。
【０００９】
ここで前記昇降装置（１４）は、営巣箱（１２）に接続される紐体（１８）と、営巣箱の設置位置の上方に取り付けられて前記紐体をガイドする滑車（２２）と、営巣箱を設置位置の鉄構（１６）等の構造物に係止するための固定具（２４）と、からなり、前記紐体を地上から操作することによって、前記営巣箱を昇降させる、ものとする。
【００１０】
また本発明の変電所鉄構等用鳥類営巣補助具は、前記営巣箱（１２）の少なくとも底面には磁石（２６）が取り付けられ、または、前記営巣箱の少なくとも底面が磁気を帯びている、ことも好ましい。
【発明の効果】
【００１１】
本発明によれば、巣材が落下したとしても変電所の設備等にトラブルを発生せる危険のない位置の鉄構などの構造物上に営巣箱を設置してここに営巣を誘引し、これにより営巣されたくない場所への営巣を回避することで、営巣を原因とした短絡事故や地絡事故の発生を防ぐことができる。また、昇降装置の操作により営巣箱を昇降可能としたことで、高所作業による危険を伴うことなく容易に鳥の巣を除去することができる。さらにヒナが巣立った後に巣を除去することとすれば、野鳥保護にも資することができる。
【００１２】
また営巣箱の底面に磁石を取り付け、または、営巣箱の底面自体に磁気を帯びさせることで、金属製ハンガー等の導電材が巣材に用いられた場合に、導電材の営巣箱からのこぼれ落ちを最小限に抑え、落下した導電材が風などの影響により設備側に流されて接触することによる事故の発生を最小限化することができる。また営巣箱からの巣材のこぼれ落ちを防止して効率的に営巣させることで、鳥の巣材運搬時の巣材落下による短絡事故等の発生も最小限に抑えることができる。
【発明を実施するための最良の形態】
【００１３】
本発明の変電所鉄構等用鳥類営巣補助具は、主として電力事業者が保有する変電所の鉄構へのカラス等の鳥類の営巣を防止して、短絡や地絡等による変電設備事故を未然に防ぐことを目的とするものである。
【００１４】
以下、まず変電所の鉄構等の構造について図面を用いて説明する。
図１に模式的に示した変電所の鉄構１６は、下端が地盤に支持された４本の主柱材１６ａと、立設された主柱材間に両端が渡設固定され、補強板３１を介してトラス構造を形成する複数の斜材および水平材からなる腹材１６ｂとから構成されている（図２も参照）。変電所内には複数の鉄構１６が林立しており、隣り合う鉄構間には鉄構と同様に主柱材１６ａと腹材１６ｂからなるトラス構造を有する引留鉄構２８が架渡固定されている。
【００１５】
鉄構１６の主柱材１６ａは、鉄製の山型鋼からなり、基礎構造により地盤に下端側が支持されて、鉛直上方を指向するように立設されている。また４本の主柱材１６ａは頂部近傍において内向するように傾斜して屈曲し、四角錐形の４辺を形成している。
腹材１６ｂも主柱材１６ａと同様に鉄製の山型鋼で構成され、水平配置された４本の主柱材間を直線で結ぶようにして、両端が各主柱材に複数のボルト・ナットにより固設され、主柱材間にトラス構造を形成している。
【００１６】
隣り合う鉄構間に架渡固定される引留鉄構２８には、引留碍子３３を介して電線３５が架空支持されている。また林立する鉄構１６の下には、電線に接続された開閉器、遮断器、断路器等の設備が配置されている（図示せず）。
【００１７】
なおカラス等の営巣は、図１の円で示した部分のように、鉄構１６と引留鉄構２８との接合部や引留鉄構内になされることが多かった。
【実施例】
【００１８】
図２および図３に本実施例の変電所鉄構等用鳥類営巣補助具を設置した状態の鉄構の側面図および斜視図を示した。なお図３において鉄構は破線を用いて表している。
図に示したように、この変電所鉄構等用鳥類営巣補助具１０は、鳥類の営巣を促す営巣箱１２と、営巣箱１２を昇降させる昇降装置１４とから構成されている。
【００１９】
営巣箱１２は上面を開口するカゴであり、例えばステンレスや耐蝕アルミ等の金属や耐候性のある合成樹脂により網目状に形成された略直方体形状をしている。なお営巣箱１２の形状は直方体形状に限られず、椀型や筒型など種々の形状を採用することができ、また、開口部も上面に限られず側面に設ける構成とすることも可能である。なお網目構造は主として雨水が営巣箱の底部に溜まることを避けるためのものであり、営巣箱１２の必須構成要件ではない。
また鉄構１６に面することとなる営巣箱１２の一側面の中央には、後述する固定具２４と係合するテーパー溝３２が形成されている。このテーパー溝３２は上側を広く下側に行くに従いその幅を狭めるように形成された切れ込みであり、後述する昇降装置１４の固定具２４を導き入れて営巣箱を鉄構に固定するためのものである。
【００２０】
営巣箱の平面図である図４に示したように、営巣箱１２の底面には磁石２６が複数個取り付けられている。この磁石２６は鳥類が巣材として持ち込んだ磁性体である導電材を磁着するためのもので、営巣箱１２からの巣材の落下を防止するとともに、営巣箱１２への巣材の固定を容易化する。これにより、鳥の営巣を効率化させ営巣のための巣材の運搬回数を少なくさせ、運搬中の巣材の落下による短絡事故等の発生機会を減少させる。なお営巣箱１２を磁性体により作成する場合には、営巣箱の少なくとも底面を磁化してやることも好ましい。
【００２１】
昇降装置１４は、営巣箱１２に接続される紐体１８と、営巣箱の設置位置の上方に取り付けられて紐体１８をガイドする滑車２２と、営巣箱１２を設置位置の鉄構１６に係着するための固定具２４とから構成されている（図３参照）。
紐体１８はワイヤーや合成樹脂などの強靭で柔軟な２本の環状の紐であり、各紐体１８は並列状態で後述する滑車２２に掛けられて地上近傍まで垂れ下げられる。
紐体１８をガイドする滑車２２は、水平軸２２ａと水平軸に取り付けられた２つの回転自在な滑車車輪２２ｂからなり、営巣箱１２が設置される場所の上方位置の鉄構１６に２つの滑車車輪２２ｂが水平方向に並列するように取り付けられている。
並列する２本の紐体１８の一部には、直方体形状の営巣箱１２の垂直方向に平行する２側辺の各１辺が固定されており、２本の紐体１８を同調させて引き下げることで、営巣箱１２を上昇・下降させることができる。
なお環状の紐体１８を用いる代わりに、ウィンチ等を使用して営巣箱１２の昇降を行うことも勿論可能である。
また固定具２４は営巣箱の設置位置の鉄構１６に取り付けられた突起物であり、ボルトなど用いてやることができる。固定具２４は、紐体１８を引き下げ、営巣箱１２を上昇させることで、上述した営巣箱１２のテーパー溝３２に導き入れられ、さらに営巣箱１２を若干上昇させることでテーパー溝３２の下端部近傍においてテーパー溝３２に挟止され、営巣箱１２を鉄構１６の取り付け位置にがたつき無く位置決めする。なお営巣箱１２を所定位置まで上昇させた後には、営巣箱が自重により落ちてくることのないよう、２本の紐体１８はそれぞれ地上近くの鉄構１６に止着または結着される。
【００２２】
なお本発明の必須の構成要素ではないが、営巣箱１２への日射の直射や雨水の浸入を防ぐとともに上空の外敵からのヒナの発見を困難とする環境を整え鳥類の営巣を誘引するために、営巣箱の設置位置の上部の鉄構１６や営巣箱自体に、営巣箱の上面を覆う庇３７を取り付けてやることも好ましい（図２参照）。
また営巣箱１２の昇降をスムーズに行わせるために、鉄構１６にガイドレールを取り付け、営巣箱をガイドレールに沿って昇降させることも好ましい（図示せず）。
【００２３】
このように構成された本実施例の変電所鉄構等用鳥類営巣補助具は、環状の紐体１８を引き下げることで営巣箱１２を上昇させ、固定具２４を営巣箱１２のテーパー溝３２により挟止することで営巣箱１２を鉄構１６に位置決め・固定し、この状態で２本の紐体１８をそれぞれ鉄構１６の下端部に止着する。
そして営巣箱１２に鳥類が営巣し、ヒナが巣立った後に、紐体１８の鉄構１６下端部への止着を外し、環状の紐体１８を反対周りに引き下げることで、営巣箱を地上近くまで下降させ、地上において営巣箱内から鳥の巣を除去してやる。その後再び営巣箱１２を上昇させて鉄構の設置位置に設置して鳥類の営巣を促してやる。
【００２４】
以上説明したように、本発明の変電所鉄構等用鳥類営巣補助具は、変電所の鉄構などの構造物に取り付けることで特定の場所に鳥類の営巣を誘引し、これにより営巣されたくない場所への営巣を回避することができ、また、ヒナが巣立った後には容易に鳥の巣を地上において除去することができる。
【００２５】
なお本発明の変電所鉄構等用鳥類営巣補助具の形状および取付位置等は、発明の趣旨を逸脱しない範囲で適宜変更することができるのは勿論である。例えば営巣箱を直方体形状ではなく板状とすることも可能である。
【００２６】
また上記実施例では本発明の変電所鉄構等用鳥類営巣補助具を取り付ける構造物の代表例として変電所の鉄構を用いて説明したが、本発明は営巣が実質的に避けられない構造物への営巣場所を意図的に操作し、構造物上からの鳥糞等の落下等の鳥害を防止してやるために本発明を使用することも可能である。
【図面の簡単な説明】
【００２７】
【図１】本発明の変電所鉄構等用鳥類営巣補助具が取り付けられる変電所の鉄構を説明するための図である。
【図２】本発明の変電所鉄構等用鳥類営巣補助具を変電所の鉄構に取り付けた状態を示した側面図である。
【図３】本発明の変電所鉄構等用鳥類営巣補助具を変電所の鉄構に取り付けた状態を示した斜視図である。
【図４】本発明の変電所鉄構等用鳥類営巣補助具の平面図である。
【図５】従来用いられていた鳥除けのための障害物を示した図である。
【符号の説明】
【００２８】
１０  変電所鉄構等用鳥類営巣補助具
１２  営巣箱
１４  昇降装置
１６  鉄構
１６ａ  主柱材
１６ｂ  腹材
１８  紐体
２２  滑車
２２ａ  水平軸
２２ｂ  滑車車輪
２４  固定具
２６  磁石
２８  引留鉄構
３１  補強板
３２  テーパ溝
３３  引留碍子
３５  電線
３７  庇
【図１】
2007104966.tif 000003
【図２】
2007104966.tif 000004
【図３】
2007104966.tif 000005
【図４】
2007104966.tif 000006
【図５】
2007104966.tif 000007